(57)【特許請求の範囲】
【請求項１】
投票可能な候補者名又は投票対象項目を投票者用表示部に表示して投票者に選択させ、投票を受け付ける電子投票装置において、
案内者用表示部と、前記案内者用表示部が前記候補者名又は投票対象項目を除く案内用の表示を行うよう表示内容の制御を行う制御手段とを設け、前記制御手段が、前記案内者用表示部の画面上の座標と映像信号の同期信号とを基に前記投票しようとする候補者名又は投票対象項目の表示部分をマスクするための打ち抜き信号を発生させる打ち抜き信号生成手段と、前記案内者用表示部に前記投票者用表示部に与える映像信号と前記投票しようとする候補者名又は投票対象項目の表示部分をマスクするための映像信号とを前記打ち抜き信号により切り換えて供給する切換手段とを有することを特徴とする電子投票装置。
【発明の詳細な説明】
【０００１】
【発明の属する技術分野】
本発明は、選挙に用いる電子投票装置に関し、特に候補者名又は投票対象項目を表示部に表示して投票者に選択させる方式の電子投票装置に関する。
【０００２】
【従来の技術】
国や地方自治体の選挙では、従来から選挙人が投票所で投票用紙に候補者（本明細書では、立候補者ともいう）の氏名を記載して投票箱に入れ、開票は人手による目視で行われているが、選挙管理者の負担が大きく、投開票に多くの時間と労力を要していた。かかる問題を解決する方法として最新の電子技術を駆使した電子投票端末などが提案されている。本出願人は、すでに電子投票端末を開発し、特許出願している（特開２０００−４０１１１号公報）。また、種々の電子投票端末がすでに特許されている（特許第２７４７１７１号、特許第２８８５６５７号）。
【０００３】
【発明が解決しようとする課題】
しかし、これら従来の電子投票端末や、電子投票装置では、候補者名や候補者の顔の画像などが表示され、投票者は表示された複数の候補者中から投票したい候補者をタッチパネルやボタンなどで選択する方式となっているので、操作に不慣れな投票者や介護を必要とする投票者がスムーズに投票できるよう案内者あるいは援助者が投票者と同様の画面を見ながら案内することが考えられる。しかし、同一内容が案内者あるいは援助者用の画面にも表示されると、投票者がどの候補者を選択したかという本来秘密にしたい内容を案内者あるいは援助者に知られてしまうという問題がある。すなわち、単純に投票者に対して提示する画像コンテンツと同一内容の画像を案内者あるいは援助者にも見せてしまうと、投票内容の秘密保持ができないのである。このように投票内容が第三者に知れてしまうことは、公職選挙法上も問題となるのみならず、投票者自身としても嫌悪感を持つこととなり、電子投票の普及に障害となることも考えられる。
【０００４】
したがって、本発明は電子投票装置で表示された候補者を選択する上で、操作に不慣れな投票者や介護を必要とする投票者がスムーズに投票できるよう案内者あるいは援助者（単に案内者ともいう）が投票者と同様の画面を見ながら操作を案内できるようにするとともに、投票する候補者名は案内者に認識できないよう構成された電子投票装置を提供することを目的とする。
【０００５】
【課題を解決するための手段】
上記目的を達成するため、本発明では電子投票装置で表示された候補者を選択する上で、操作に不慣れな投票者や介護を必要とする投票者がスムーズに投票できるよう投票者用表示部の他に案内者用に案内者用表示部を設け、かつ案内者用表示部には投票しようとする候補者名又は投票対象項目を除く案内用の表示を行うよう制御している。
【０００６】
すなわち本発明によれば、投票可能な候補者名又は投票対象項目を投票者用表示部に表示して投票者に選択させ、投票を受け付ける電子投票装置において、
案内者用表示部と、前記案内者用表示部が前記候補者名又は投票対象項目を除く案内用の表示を行うよう表示内容の制御を行う制御手段とを設け、前記制御手段が、前記案内者用表示部の画面上の座標と映像信号の同期信号とを基に前記投票しようとする候補者名又は投票対象項目の表示部分をマスクするための打ち抜き信号を発生させる打ち抜き信号生成手段と、前記案内者用表示部に前記投票者用表示部に与える映像信号と前記投票しようとする候補者名又は投票対象項目の表示部分をマスクするための映像信号とを前記打ち抜き信号により切り換えて供給する切換手段とを有することを特徴とする電子投票装置が提供される。
【０００８】
【発明の実施の形態】
以下、図面を参照して本発明の好ましい実施の形態について説明する。図１は本発明に係る電子投票装置の好ましい実施の形態に用いられる制御部のブロック図である。また、図２は、図１の制御部により表示が制御され案内者用表示部２０の画面を投票者用表示部１８の画面と並べて示した正面図である。図１の制御部は、打ち抜き信号生成部１０とデータセレクタ１２と、信号変換部１４、１６を有している。信号変換部１４は表示データを変換して投票者用表示部１８に与えられる映像信号を生成するものであり、これ自体は従来のものである。信号変換部１４と同様な回路構成の信号変換部１６は、データセレクタ１２の出力データを変換して案内者用表示部２０に与えられる映像信号を生成するものである。投票者用表示部１８及び案内者用表示部２０は映像信号を受けて画面を表示するものであり、ＣＲＴ又はＬＣＤなどを用いることができる。また、投票者用表示部１８には、タッチパネル画面に重ねて取り付けてあり、投票者の投票、取り消しなどの入力指示が受け付けられる。
【０００９】
打ち抜き信号生成部１０は、カウンタ１０Ａ、行・列レジスタ１０Ｂ、比較器１０Ｃを有している。カウンタ１０Ａには、映像信号の水平同期信号Ｈ  ＳＹＮＣと垂直同期信号Ｖ  ＳＹＮＣ、表示クロック信号ＤＯＴ  ＣＬＯＣＫが供給される。また行・列レジスタ１０Ｂには、あらかじめ定めた表示を認識できないようにマスキングすべき領域として定めた四角形の画面上の左上と右下の座標が行と列により指定されて格納されている。この座標の格納は、表示ソフトウエアを実行しているコンピュータのＣＰＵのバスライン（ＢＵＳ）を経由して行うことができる。
【００１０】
カウンタ１０Ａは、水平同期信号Ｈ  ＳＹＮＣと垂直同期信号Ｖ  ＳＹＮＣ、表示クロック信号ＤＯＴ  ＣＬＯＣＫをカウントし、投票者用表示部１８及び案内者用表示部２０に表示されている画像のラスタ内での現在時点での走査位置（画面上のドット位置）を示す信号を比較器１０Ｃに送る。比較器１０Ｃには行・列レジスタ１０Ｂからあらかじめ格納されている座標データが送られ、現在時点の走査位置と比較される。現在走査位置がマスキングすべき領域として定めた四角形の画面上の左上に達する前は、打ち抜き信号としてのＡ／Ｂ切換信号の信号レベルをＡを選択するようＬレベルとし、四角形の左上に到達するとＡからＢへ切り換える信号（Ｈレベル）とし、さらに四角形の右下に到達すると再びＡに切り換える信号（Ｌレベル）とする。
【００１１】
Ａ／Ｂ切換信号は、データセレクタ１２の切換信号端子Ａ／Ｂに与えられる。Ａ／Ｂ切換信号がＬレベルのとき、入力端子Ａに入力される表示データを出力端子ＯＵＴから出力して信号変換部１６を介して案内者用表示部２０に与え、Ａ／Ｂ切換信号がＨレベルのとき、入力端子Ｂに入力されるマスキング用色表示データを出力端子ＯＵＴから出力して信号変換部１６を介して案内者用表示部２０に与える。この結果、図２に示すように案内者用表示部２０の候補者名の四角形の部分はマスキングされ、目視しても候補者名を認識できない。このとき投票者用表示部１８の候補者名はマスクされることなく、そのまま表示されているので、投票者は、誰にも投票内容を知られることなく投票のための操作を行うことができる。
【００１２】
上記実施の形態では、マスキング用色表示データを時間選択的に信号変換部１６を介して案内者用表示部２０に与えているが、投票者用表示部１８と案内者用表示部２０にそれぞれ与えられる映像データを最初から別個に生成するよう２つのコントローラを設けることもできる。また、案内者用表示部２０に投票者用表示部１８と同一内容を表示するが、秘密にすべき投票しようとする候補者名の部分に物理的にマスキングを掛けるよう、画面に重ねて透明の表示部材を配置しておき、マスキングすべきときのみ、その部分を不透明となるよう制御することもできる。
【００１３】
上記実施の形態では、候補者名の表示部分をマスキングする場合について説明したが、選挙の対象は、最高裁判所裁判官の国民審査であったり、比例代表選挙のように政党単位で投票を行うものもあるので、本発明でマスキングする対象としては、候補者名のみならず、広く投票対象項目が該当する。また、候補者の顔画像や候補者や政党などに関連する情報も投票対象項目の一部と見ることができる。
【００１４】
【発明の効果】
以上説明したように本発明によれば、電子投票装置の投票者用表示部の他に案内者用に案内者用表示部を設け、かつ案内者用表示部には投票しようとする候補者名以外の項目が投票者用表示部と同一内容で表示されるよう制御しているので、投票者が表示された候補者を選択する上で、操作に不慣れだったり、介護を必要とする場合にも案内者からアドバイスを受けながらスムーズに投票できるとともに、投票した候補者名や投票対象項目の秘密を案内者やその他の他人に知られることがないという効果がある。
【図面の簡単な説明】
【図１】本発明に係る電子投票装置の好ましい実施の形態に用いられる制御部のブロック図である。
【図２】図１の制御部により表示が制御され案内者用表示部２０の画面を投票者用表示部１８の画面と並べて示した正面図である。
【符号の説明】
１０  打ち抜き信号生成部（打ち抜き信号生成手段）
１２  データセレクタ（切換手段：打ち抜き信号生成手段と共に制御手段を構成する）
１４、１６  信号変換部
１８  投票者用表示部
２０  案内者用表示部
【図１】
0003636092.tif 000002
【図２】
0003636092.tif 000003